(57)【特許請求の範囲】
【請求項１】
ケース本体内に錠杆を施錠位置に掛止するストッパーを設けるとともに、このストッパーを中心として対称状に配置され、かつ、ケース本体の表裏面と直交する軸線上に、表側の錠機構と裏側の錠機構とからなる互いに同機構の２組の錠機構を備え、両機構の内端部にそれぞれ備えた作動レバーを上記ストッパーと係合させる一方、該２組の錠機構の外端面にそれぞれ鍵穴を設けて、同一のキーを用いてケース本体の表裏両面から開錠操作ができるようにした自転車用リング錠であって、ホークの下面側にその裏面を沿わせた背面取付けをした場合に、裏面側の鍵穴が上向くことによってキーの差込操作に不自由しないことを特徴とする自転車リング錠。
【請求項２】
前記錠杆とケース本体は、それぞれの断面がほぼ円形で、かつ、同心円弧状に形成された自転車用リング錠であることを特徴とする請求項１記載の自転車用錠。
【請求項３】
前記錠機構は、前記ストッパーを中心として表裏で対称状に配置された２組のシリンダー錠機構により構成されていることを特徴とする請求項１記載の自転車用錠。
【発明の詳細な説明】
【０００１】
【発明の属する技術分野】
この発明は、後輪を跨ぐようにして自転車の後ホークに取り付けられる自転車用リング錠の他、例えばチエン錠またはワイヤー錠のような自転車用錠に関し、ケース本体の表裏両側からキーの開錠操作ができるようにしたことを特長とするものである。
【０００２】
【従来の技術】
例えば自転車用リング錠にあっては、本出願人の出願に係る特開平８−１２０９９４号公報、特開平１０−６１２０１号公報のように、ケース本体の表面に対して直交する軸線を具えた錠機構を設けて、該錠機構の外端面に具えた鍵穴に差し込んだキーの回転操作により開錠するようにしたものがある。
また、ワイヤー錠にあっては、例えば実開平７−１２３９号公報のように扁平なケース本体の正面に鍵穴を臨出させた錠前がある。
【０００３】
【発明が解決しようとする課題】
そしてこの種の錠前、例えば自転車用リング錠にあっては、通常、図４に示すようにサドルポストＰ側に向けて傾斜する後ホークＨの上面にケースの裏面側を沿わせ、該裏面に備えた取付け金具を介して自転車に取り付けられる。
また、リング錠の錠機構は、ケース本体の表裏面と直交する軸線を有してケース本体の左側部に設けることにより、上記のような通常の取付け状態のもとでは鍵穴を上向きにしてキーによる開錠操作をし易くしている。
【０００４】
しかしながら、図５に示すように、後ホークＨの上面にキャリアステーＳの基部が取り付けられている場合とか、自転車にキャリパーブレーキが取り付けられている場合には、後ホークの上面側に錠を取り付ける余裕がなくなり、そのために、ケースの表裏を逆にして図示のように後ホークＨの下面側に裏面を沿わせた背面取付けをしなければならない場合がある。
従来のリング錠においては、背面取付けをすると、ケースの表側が下向きになるとともに、鍵穴が後向きにまた下向きになってキーによる開錠操作がし難くなり、キーの使い勝手が損なわれる欠点を生ずる。
【０００５】
一方、前記ワイヤー錠は、開錠操作方向がキーの差し込める正面側に限られており、錠前が裏向きになっている場合には正面に向きを変える必要があり、状態によって向きを変えられない場合に不便を生ずる。
このようなことから本発明が解決しようとする課題は、キーの開錠操作を錠の表裏両側からできるようにすることにより、上記のような背面取付けの場合などに生ずる操作上の不便を解消することにある。
【０００６】
【課題を解決するための手段】
そこで本発明は、ケース本体内に錠杆を施錠位置に掛止するストッパーを設けるとともに、このストッパーを中心として対称状に配置され、かつ、ケース本体の表裏面と直交する軸線上に、表側の錠機構と裏側の錠機構とからなる互いに同機構の２組の錠機構を備え、両機構の内端部にそれぞれ備えた作動レバーを上記ストッパーと係合させる一方、該２組の錠機構の外端面にそれぞれ鍵穴を設けて、同一のキーを用いてケース本体の表裏両面から開錠操作ができるようにした自転車用リング錠であって、ホークの下面側にその裏面を沿わせた背面取付けをした場合に、裏面側の鍵穴が上向くことによってキーの差込操作に不自由しないことを特徴とする自転車リング錠を提供するものである。
【０００７】
上記のように構成した本発明錠は、例えばリング錠にあっては、図５に示すように、後ホークの下面側に取り付けられた場合に、ケースの裏面側に開口する鍵穴が上向きとなるので、通常の取付け位置の場合とほぼ同等の開錠操作性が得られる。
またワイヤー錠とかチエン錠の場合にはキーによる開錠操作方向が一方向に限られなくなり、操作の利便性が向上する。
【０００８】
なお、本発明をリング錠に用いる場合に、錠杆とケース本体をそれぞれ断面ほぼ円形に形成したものは、錠前の表裏面の形状に大差がなくなるので、背面取付けをした場合の違和感が少ないという利点がある。
また、本発明において、錠機構にストッパーを中心として表裏で対称状になる２組のシリンダー錠機構を用いたものは、施錠の操作性と確実性が高く、使い勝手の良い錠を得ることができる。
【０００９】
【実施例】
以下に、本発明を自転車用リング錠に適用した場合の実施例を図面について説明する。
図において、１は、断面ほぼ円形の中空で円弧形に形成され、両端を向い合わせに開口したケース本体、２は一側に具えた操作摘み３をケース本体１の側面から突出させて、図示省略の復元ばねと共にケース本体内に摺動自在に嵌装した同じく断面ほぼ円形で円弧形をなす錠杆、４は、ケース本体１の側面部に、錠前の表裏面に直交する軸線を有して一体に立設した錠ケース部、５は、錠ケース部内に回転可能に嵌装した錠機構、６はケース本体１の裏面に取り付けた左右一対の取付け金具である。
【００１０】
図１と２に示すように、錠機構５の両外端面には表側用と裏側用とにそれぞれ鍵穴７ａ、７ｂが設けられている。また錠機構５は、図３に示すように錠ケース部４の表側と裏側からそれぞれ図示上下に嵌装された表側用と裏側用との２組のシリンダー錠機構５ａ、５ｂによって構成されている。
両シリンダー錠機構５ａ、５ｂは互いに同じ構造を有し、従来公知のシリンダー錠機構と同様に備えた作動レバー８ａ、８ｂを内端部に一体に回転するようにそれぞれ連結し、該レバーの先端に具えたピン９ａ、９ｂを、コ字形に形成されて錠ケース部４の中心部に図示左右方向に摺動を自在にして嵌装されているストッパー１０とそれぞれ係合させている。
【００１１】
ストッパー１０は、錠ケース部４の内部において、付勢ばね１１により常時図示左方に付勢されていて側面から錠杆２に圧接する。
上記ストッパー１０は、操作摘み３により復元ばねに抗して錠杆２が一方の開口部から他方の開口部内に前進したときに、所定位置に設けられいる切欠部１２内に嵌合して、錠杆２を施錠状態に保持する。
【００１２】
上記のように構成したこのリング錠を通常のように自転車に取り付ける場合は、図４に示すように表側が上側になり、従来通りの使用ができる。また、図５に示すように背面取付けをした場合は、裏面側に開口する鍵穴７ｂの向きが上向きに変わるので、キー１３の差込み操作には不自由しない。
なお、図３に示すように、ストッパー１０に係合する２本のピン９ａ、９ｂは、ストッパー１０の凹部１４内で突き合わせ状に向かい合って個別に左右動可能であるが、コ字形の該凹部１４の幅内で互いに干渉することなく左右動できるように備えられているので、表側からの開錠操作と裏側からの開錠操作は互いに支障なくできる。
【００１３】
この実施例において、錠杆４を施錠するストッパーには上述のようにコ字形の部材を摺動させるようにしているが、従来のリング錠のように、例えば鉤形のレバー板を用いる場合には、板の表裏面に作動レバーのピンとの係合部をそれぞれ設けるようにするなど、ストッパーと作動レバーとの係合形状については図示の態様に限定されない。
【００１４】
また、図示した実施例は本発明の最も好ましい１例であって、ケース本体１、錠杆２は共に断面ほぼ円形であるが、各部材の態様は本発明の要旨にそって適宜に設計変更されることはいうまでもない。
さらに、本発明をワイヤー錠、チエン錠に適用する場合は、ケース本体の表裏両面に鍵穴が備わるので、正面背面両側からの開錠操作が可能になり、操作の方向性が拡張されるようになることはいうまでもない。
【００１５】
【発明の効果】
以上のように構成した本発明によれば、後ホークに背面取付けをした場合にも鍵穴が上向きになるのでキーの開錠操作が容易にできるので、従来品に比べて使い勝手がよく取付けの不便性を解消できるなどきわめて優れた効果が期待できる。
【図面の簡単な説明】
【図１】図１は本発明の１実施例を示す斜視図
【図２】図２は実施例の裏面を示す斜視図
【図３】図３は錠機構部分の拡大断面図
【図４】図４は通常の取付け状態を示す側面図
【図５】図５は実施例を背面取付けした場合の側面図である。
【符合の説明】
１  ケース本体
２  錠杆
３  操作摘み
４  錠ケース
５  錠機構  （５ａ  表側の錠機構    ５ｂ  裏側の錠機構）
６  取付け金具
７  鍵穴  （７ａ  表側の鍵穴    ７ｂ  裏側の鍵穴）
８  作動レバー  （８ａ  表側    ８ｂ  裏側）
９  ピン  （９ａ  表側ピン    ９ｂ  裏側ピン）
１０  ストッパー
１１  付勢ばね
１２  切欠部
１３  キー
１４  凹部
【図１】
0003972320.tif 000002
【図２】
0003972320.tif 000003
【図３】
0003972320.tif 000004
【図４】
0003972320.tif 000005
【図５】
0003972320.tif 000006